(57)【要約】【課題】施術前後の口腔内の情報を同一条件で取得ができる口腔内情報取得装置、口腔内情報取得方法、口腔内情報取得プログラム、および口腔内の施術を行いながら施術前後の口腔内の記録を同一条件で取得ができ、施術と情報取得を一貫して行える口腔内作用装置。【解決手段】入力手段１１０が、被験者２００の口腔内を撮像する撮像手段３００によって施術前に撮像された第一口腔内情報が入力され、補正手段１２０が、第一口腔内情報と、施術後に撮像手段３００によって新たに撮像された第二口腔内情報とを比較し、第一口腔内情報と近似する位置に第二口腔内情報の位置や角度を補正し、出力手段１３０が、第一口腔内情報と、補正された第二口腔内情報とを出力する。【選択図】図１
2018050864.tif 000002
【特許請求の範囲】
【請求項１】
被験者の口の開口部周辺を開口器で押し広げて施術の前後で口腔内の情報を取得する口腔内情報取得装置において、
前記口腔内を撮像する撮像手段によって撮像された第一口腔内情報が入力される入力手段と、
前記第一口腔内情報と、前記施術後に前記撮像手段によって新たに撮像された第二口腔内情報とを比較し、前記第一口腔内情報と近似する位置に前記第二口腔内情報を補正するための位置補正手段と、
前記第一口腔内情報と、補正された前記第二口腔内情報とを出力する出力手段と、
を備えることを特徴とする口腔内情報取得装置。
【請求項２】
前記補正手段は、
前記被験者の少なくとも１つの歯牙の形状を基準にして位置が補正されることを特徴とする請求項１記載の口腔内情報取得装置。
【請求項３】
被験者の口の開口部周辺を開口器で押し広げて口腔内の情報を取得する口腔内情報取得方法において、
入力手段が前記口腔内を撮像する撮像手段によって撮像された第一口腔内情報を入力する工程と、
位置補正手段が前記第一口腔内情報と、前記施術後に前記撮像手段によって新たに撮像された第二口腔内情報とを比較し、前記第一口腔内情報と近似する位置に前記第二口腔内情報を補正する工程と、
出力手段が前記第一口腔内情報と、補正された前記第二口腔内情報とを出力する工程と、
を備えることを特徴とする口腔内情報取得方法。
【請求項４】
被験者の口の開口部周辺を開口器で押し広げて口腔内の情報を取得する口腔内情報取得プログラムにおいて、
コンピュータを、
前記口腔内を撮像する撮像手段によって撮像された第一口腔内情報が入力される入力手段、
前記第一口腔内情報と、前記撮像手段によって新たに撮像された第二口腔内情報とを比較し、前記第一口腔内情報と近似する位置に前記第二口腔内情報を補正するための位置補正手段、および
前記第一口腔内情報と、補正された前記第二口腔内情報とを出力する出力手段、
として機能させることを特徴とする口腔内情報取得プログラム。
【請求項５】
被験者の口の開口部周辺を開口器で押し広げて、光エネルギーにより被験者の口腔内に作用する口腔内作用装置において、
前記口腔内を撮像する撮像手段によって撮像された第一口腔内情報が入力される入力手段と、
前記第一口腔内情報と、前記撮像手段によって新たに撮像された第二口腔内情報とを比較し、前記第一口腔内情報と近似する位置に前記第二口腔内情報を補正するための位置補正手段と、
前記第一口腔内情報と、補正された前記第二口腔内情報とを出力する出力手段と、
を備える口腔内情報取得装置と、
前記光エネルギーが発生される光エネルギー発生体と、
を備えることを特徴とする口腔内作用装置。
【請求項６】
前記光エネルギー発生体は、
波長帯域が狭い光線を照射することによって治療的効果が発揮されるレーザーであることを特徴とする請求項５記載の口腔内作用装置。
【請求項７】
前記光エネルギー発生体は、
波長帯域が広い光線を照射することによって治療的効果が発揮される発光ダイオードであることを特徴とする請求項５記載の口腔内作用装置。
【請求項８】
前記光エネルギー発生体は、
前記記録手段が記録する際に口腔内を照らすための光源機能を兼ねていることを特徴とする請求項５記載の口腔内作用装置。
【請求項９】
前記入力手段は、
前記光発生体と共に前記開口器と一体的に備えられた撮像機能を備えることを特徴とする請求項５記載の口腔内作用装置。
【発明の詳細な説明】
【技術分野】
【０００１】
本発明は、口腔内情報取得装置、口腔内情報取得方法、口腔内情報取得プログラム、および口腔内作用装置に関し、特に被験者の口の開口部周辺を開口器で押し広げて施術の前後で口腔内の情報を取得する口腔内情報取得装置、口腔内情報取得方法、口腔内情報取得プログラム、および被験者の口の開口部周辺を開口器で押し広げて、光エネルギーにより被験者の口腔内に作用する口腔内作用装置に関する。
【背景技術】
【０００２】
従来から、口腔内疾患の予防、および治療に光エネルギーを利用し、開口器と一体化した患者に動作制限の少ない治療機器が知られている（たとえば、特許文献１参照）。
【先行技術文献】
【特許文献】
【０００３】
【特許文献１】特開２０１１−２５４９５８公報
【発明の概要】
【発明が解決しようとする課題】
【０００４】
しかし、治療の効果や状況を医師や患者が確認するためには、目視での確認は難しいため、治療の前後に別の記録装置を使用して記録を取得する必要があった。
記録は、例えば口腔内写真で治療前や治療後に口腔内の状況を写真で残すことにより、治療による変化を確認しやすくしている。また口腔内写真は、医師から患者への治療を説明する際にも使用しており、患者が口腔内の状況を知ったうえで治療することはとても大切である。
【０００５】
この記録を取得するためには、治療機器を装着する前後に別の記録装置、例えばカメラを利用して記録する必要がある。記録装置の設置や実施には相当の時間や人員が必要であり、患者や医師にとって物理的な負担となっている。
【０００６】
また、口腔内の写真を治療の前後で比較する場合、同じ条件で取得した写真で比較しなくては意味がなく、例えば異なった角度で撮影された写真で比較したとしても正確な効果を確認することは困難である。しかしカメラで撮影する場合、治療の前後で撮影する位置や角度を一定に保つことが困難であり、治療前後を比較するにあたって同条件で記録を取得することも困難である。
【０００７】
さらに、家庭で治療機器を使用することも考えられるが、家庭で患者自身が治療前後に記録装置を設置して記録を一人で取得することは非常に難しい。
上記のように、治療機器の前後で別の記録装置で記録を取得することは非常に困難であった。
【０００８】
本発明はこのような点に鑑みてなされたものであり、施術前後の口腔内の情報を同一条件で取得ができる口腔内情報取得装置、口腔内情報取得方法、口腔内情報取得プログラム、および口腔内作用装置、および口腔内の施術を行いながら施術前後の口腔内の記録を同一条件で取得ができ、施術と情報取得を一貫して行える口腔内作用装置を提供することを目的とする。
【課題を解決するための手段】
【０００９】
本発明では上記問題を解決するために、被験者の口の開口部周辺を開口器で押し広げて施術の前後で口腔内の情報を取得する口腔内情報取得装置において、前記口腔内を撮像する撮像手段によって撮像された第一口腔内情報が入力される入力手段と、前記第一口腔内情報と、前記施術後に前記撮像手段によって新たに撮像された第二口腔内情報とを比較し、前記第一口腔内情報と近似する位置に前記第二口腔内情報を補正するための位置補正手段と、前記第一口腔内情報と、補正された前記第二口腔内情報とを出力する出力手段とを備えることを特徴とする口腔内情報取得装置が提供される。
【００１０】
これにより、入力手段が、口腔内を撮像する撮像手段によって撮像された第一口腔内情報が入力され、位置補正手段が、第一口腔内情報と、施術後に撮像手段によって新たに撮像された第二口腔内情報とを比較し、第一口腔内情報と近似する位置に第二口腔内情報を補正し、出力手段が、第一口腔内情報と、補正された第二口腔内情報とを出力する。
【００１１】
また、本発明では、被験者の口の開口部周辺を開口器で押し広げて口腔内の情報を取得する口腔内情報取得方法において、入力手段が前記口腔内を撮像する撮像手段によって撮像された第一口腔内情報を入力する工程と、位置補正手段が前記第一口腔内情報と、前記施術後に前記撮像手段によって新たに撮像された第二口腔内情報とを比較し、前記第一口腔内情報と近似する位置に前記第二口腔内情報を補正する工程と、出力手段が前記第一口腔内情報と、補正された前記第二口腔内情報とを出力する工程とを備えることを特徴とする口腔内情報取得方法が提供される。
【００１２】
これにより、入力手段が、口腔内を撮像する撮像手段によって撮像された第一口腔内情報が入力し、位置補正手段が、第一口腔内情報と、施術後に撮像手段によって新たに撮像された第二口腔内情報とを比較し、第一口腔内情報と近似する位置に第二口腔内情報を補正し、出力手段が、第一口腔内情報と、補正された第二口腔内情報とを出力する。
【００１３】
また、本発明では、被験者の口の開口部周辺を開口器で押し広げて口腔内の情報を取得する口腔内情報取得プログラムにおいて、コンピュータを、前記口腔内を撮像する撮像手段によって撮像された第一口腔内情報が入力される入力手段、前記第一口腔内情報と、前記撮像手段によって新たに撮像された第二口腔内情報とを比較し、前記第一口腔内情報と近似する位置に前記第二口腔内情報を補正するための位置補正手段、および前記第一口腔内情報と、補正された前記第二口腔内情報とを出力する出力手段として機能させることを特徴とする口腔内情報取得プログラムが提供される。
【００１４】
これにより、入力手段が、口腔内を撮像する撮像手段によって撮像された第一口腔内情報が入力し、位置補正手段が、第一口腔内情報と、施術後に撮像手段によって新たに撮像された第二口腔内情報とを比較し、第一口腔内情報と近似する位置に第二口腔内情報を補正し、出力手段が、第一口腔内情報と、補正された第二口腔内情報とを出力する。
【００１５】
また、本発明では、被験者の口の開口部周辺を開口器で押し広げて、光エネルギーにより被験者の口腔内に作用する口腔内作用装置において、前記口腔内を撮像する撮像手段によって撮像された第一口腔内情報が入力される入力手段と、前記第一口腔内情報と、前記撮像手段によって新たに撮像された第二口腔内情報とを比較し、前記第一口腔内情報と近似する位置に前記第二口腔内情報を補正するための位置補正手段と、前記第一口腔内情報と、補正された前記第二口腔内情報とを出力する出力手段とを備える口腔内情報取得装置と、前記光エネルギーが発生される光エネルギー発生体とを備えることを特徴とする口腔内作用装置が提供される。
【００１６】
これにより、口腔内情報取得装置が、入力手段が口腔内を撮像する撮像手段によって撮像された第一口腔内情報が入力し、位置補正手段が第一口腔内情報と施術後に撮像手段によって新たに撮像された第二口腔内情報とを比較し第一口腔内情報と近似する位置に第二口腔内情報を補正し、出力手段が第一口腔内情報と、補正された第二口腔内情報とを出力し、光エネルギー発生体が光エネルギーを発生させる。
【発明の効果】
【００１７】
本発明の口腔内情報取得装置、口腔内情報取得方法、口腔内情報取得プログラム、および口腔内作用装置によれば、口腔内を撮像する撮像手段によって撮像された第一口腔内情報が入力され、第一口腔内情報と、撮像手段によって新たに撮像された第二口腔内情報とを比較し、第一口腔内情報と近似する位置に第二口腔内情報を補正し、第一口腔内情報と、補正された第二口腔内情報とを出力するので、施術前後の口腔内の情報を同一条件で取得ができる。また、口腔内の施術を行いながら施術前後の口腔内の情報を同一条件で取得ができ、施術と情報取得を一貫して行える。
【図面の簡単な説明】
【００１８】
【図１】本実施の形態に係る概念を示す図である。
【図２】本実施の形態に係る口腔内作用装置を示す図である。
【図３】情報取得部の詳細を示す図である。
【図４】補正手段を詳細に示すブロック図である。
【図５】本実施の形態の口腔内情報取得装置による補正手段の処理を示すフローチャートである。
【図６】第２の実施の形態に係る口腔内作用装置を示す図である。
【発明を実施するための形態】
【００１９】
以下、本発明の実施の形態を図面を参照して詳細に説明する。
〔第１の実施の形態〕
図１は、本実施の形態に係る概念を示す図である。
図１に示すように、口腔内情報取得装置１００は、入力手段１１０、補正手段１２０、出力手段１３０を備えている。
【００２０】
入力手段１１０は、例えばカメラである撮像手段３００が接続され、撮像手段３００で撮像した被験者２００の口腔内の情報が入力される。
補正手段１２０は、施術前に入力手段１１０によって入力された第一口腔内情報と施術後に入力手段１１０によって入力された第二口腔内情報とを比較し、第二口腔内情報の位置の補正処理を行う。
【００２１】
出力手段１３０は、補正手段１２０によって補正された第一口腔内情報および第二口腔内情報を外部に出力する。
これにより、撮像手段３００によって撮像された口腔内の情報が、補正手段１２０によって位置が補正されて出力手段１３０によって出力されるので、複数の口腔内情報を見比べる時に、位置が補正されているので比較判定が正確に行うことができる。
【００２２】
図２は、本実施の形態に係る口腔内作用装置を示す図である。
図２に示すように、口腔内作用装置４００は、口唇開口部４１０、光源部４２０、情報取得部４３０、および本体部４４０を備える。
【００２３】
口唇開口部４１０は、被験者２００が口を開いた形状を維持するための開口部４１１と、口唇を開いた状態を維持するための口唇支持部４１２とを備える。
口唇支持部４１２は、被験者２００が口唇を開いた状態を維持するので、横長円環状の形状をしている。開口部４１１および口唇支持部４１２は、被験者２００の年齢や口唇の大きさに合わせた径をとることができる。
【００２４】
光源部４２０は、光エネルギー発生部４２１、光エネルギー拡散板４２２、および光エネルギー調整部４２３を備える。
光エネルギー発生部４２１は、例えば発光ダイオードやレーザー光を発光する発生源である。発光ダイオードは波長帯域が広いので、被験者２００の口腔内で広い範囲の治療を行うことができ、レーザー光は波長帯域が狭いので被験者２００の口腔内で局所的な治療が行えるなど、用途によって光エネルギー発生部４２１の光エネルギー源を採択することができる。
【００２５】
また光エネルギー発生部４２１によって発光された光は、光感受性ジェルなどが塗布された被験者２００の口腔内の患部に照射され、光エネルギー発生部４２１によって発光される光が患部に照射されることで、歯のホワイトニングや、歯周病治療や齲蝕などの効果を得ることができるものである。
【００２６】
光エネルギー拡散板４２２は、複数個の光エネルギー発生部４２１を備え、光エネルギー発生部４２１から発生された光を反射、または被験者２００の口腔内より反射された光を再反射し、被験者２００の口腔内に光エネルギーを集光させるものである。これにより効率よく被験者２００の口腔内に光エネルギーを照射することができる。
【００２７】
光エネルギー調整部４２３は、光エネルギー拡散板４２２の一部に備えられ、光エネルギー発生部４２１によって被験者２００の口腔内に照射された光エネルギーの光量を感知することができる。光エネルギー調整部４２３が得た光量によって被験者２００の口腔内に照射される光エネルギーの光量を調整することができる。
【００２８】
情報取得部４３０は、記録時用光発生部４３１、撮像手段３００、および口腔内情報取得装置１００を備える。情報取得部４３０の詳細は後述する。
本体部４４０は、無線部４４１、記録媒体差込部４４２、電源部４４３、および熱放射部４４４を備える。
【００２９】
本体部４４０は、半円柱の箱体であって上面の一部には情報取得部４３０で得た情報を外部機器と無線で通信を行える無線部４４１が備えられている。無線部４４１は、例えば無線ＬＡＮ（無線Local Area Network）を利用してパソコンなどの端末と情報の送受信を行うことができる。無線部４４１は、図示しない出力手段１３０に接続され補正手段１２０によって補正された口腔内の情報が外部機器と接続される。これにより、室内の配線等を気にせず被験者２００の口腔内の情報を得ることができる。また、被験者２００が家庭で治療をした時に、インターネットを通じて医療機関などに被験者２００の口腔内の情報を送信することもできる。
【００３０】
記録媒体差込部４４２は、本体部４４０の一部に設けられ、記録媒体差込部４４２に挿入された記録媒体、例えばＳＤ（Secure Digital）カードやＵＳＢ（Universal Serial Bus）メモリなどに、図示しない出力手段１３０により出力された被験者２００の口腔内の情報が保存される。保存された情報は、挿入された記録媒体を外部機器に接続することで、情報取得部４３０で得た被験者２００の口腔内の情報を確認することができる。
尚、記録媒体差込部４４２は外部機器と、例えばＵＳＢケーブルやＬＡＮケーブルなどを用いてパソコンなどの端末と直接接続して情報を送受信することもできる。
【００３１】
電源部４４３は本体部４４０に備えられ、口腔内作用装置４００に電源を供給するためのものである。電源部４４３はバッテリーを内部に設け、外部から充電することもできるが、家庭用のコンセントから流れる電圧を調節して口腔内作用装置４００に直接利用することもできる。
【００３２】
熱放射部４４４は、光源部４２０によって発生する熱エネルギーを外部に放射するためのものであり、例えば図２に示すように本体部４４０の一面に複数の穴をあけ、本体部４４０の内部に発生した熱エネルギーを外部に放射させている。
【００３３】
また、本実施例における具体的な口腔内作用装置４００の実施手順は以下のとおりである。
まず口唇支持部４１２を被験者２００の口唇を押し広げるように設置し、被験者２００の口腔内を開口させるように口腔内作用装置４００を設置する。次に情報取得部４３０で被験者２００の口腔内の情報である第一口腔内情報を取得する。次に光源部４２０の光エネルギーにより被験者２００の口腔内に光エネルギーを作用させ施術を行う。次に光エネルギーによる施術が終わった後に、被験者２００の口腔内の情報である第二口腔内情報を情報取得部４３０で取得する。
【００３４】
これにより被験者２００の口腔内に光エネルギーを作用させる施術の前後で被験者２００の口腔内の情報が取得でき、施術の前後で口腔内の情報が正確に比較判定を行うことができる。
【００３５】
図３は、情報取得部の詳細を示す図である。
図３に示すように、記録時用光発生部４３１、撮像手段３００、および口腔内情報取得装置１００を備える。
【００３６】
撮像手段３００は例えばカメラであって、光エネルギー拡散板４２２の一部に設けられ、被験者２００の口腔内の情報を撮像する。
撮像手段３００は、口腔内情報取得装置１００に設けられた入力手段１１０に接続され、補正手段１２０で補正された口腔内の情報が出力手段１３０によって出力される。
【００３７】
記録時用光発生部４３１は、撮像手段３００の上部に少なくとも１つ設けられ、撮像手段３００が被験者２００の口腔内の情報を撮像する時に、記録時用光発生部４３１が光を発生することで口腔内を明るくすることができる。記録時用光発生部４３１は、光エネルギー発生部４２１の機能を兼ねており、光エネルギー発生部４２１の光量を調節することで、撮像手段３００が口腔内を撮像する際に最適な光量を被験者２００の口腔内に照射することができる。
【００３８】
また、撮像手段３００が被験者２００の口腔内を撮像しない時には、光エネルギー発生部４２１と同様に、光感受性ジェルなどが塗布された被験者２００の口腔内の患部に照射され、光エネルギー発生部４２１によって発光される光が患部に照射されることで、歯のホワイトニングや、歯周病治療などの効果を得ることができるものである。
【００３９】
図４は、補正手段を詳細に示すブロック図である。
図４に示すように、補正手段１２０は、マーキング処理部１２１、マーキングデータ格納部１２２、位置補正部１２３、トリミング部１２４、および画像データ格納部１２５を備えている。
【００４０】
マーキング処理部１２１は、入力手段１１０より与えられた被験者２００の口腔内情報に、後に被験者２００の口腔内情報の位置を補正するために基準とする位置を決めるマーキング処理を行う。具体的には、入力手段１１０より与えられた被験者２００の口腔内情報が初回の場合は、口腔内情報にある被験者２００の少なくとも１つの歯の形状や口腔内の位置によってマーキングする部位を決定し、マーキングデータ格納部１２２にマーキングする部位を第一口腔内情報のマーキング位置としてマーキングデータ格納部１２２に格納する。
【００４１】
また、入力手段１１０より与えられた被験者２００の口腔内情報が２回目以降の場合は、マーキングデータ格納部１２２より第一口腔内情報のマーキング位置を呼び出し、入力手段１１０より与えられた口腔内情報にマーキングする部位情報を第二口腔内情報のマーキング位置としてマーキングデータ格納部１２２に格納する。
【００４２】
マーキングデータ格納部１２２は、マーキング処理部１２１から与えられたマーキングする位置情報を格納する。また、マーキング処理部１２１からの呼び出しにより、支持されたマーキングする部位情報を提供する。マーキングデータ格納部１２２に格納された口腔内情報は、例えば被験者２００の識別番号毎に格納され、マーキング処理部１２１からの呼び出しに応じて、必要な被験者２００の口腔内情報を提供することができる。
【００４３】
位置補正部１２３は、マーキングする部位情報を与えられた第一口腔内情報と第二口腔内情報とのマーキングする部位を一致させるように位置補正を行う。具体的には、マーキングした被験者２００の歯の形状や口腔内の位置をもとに、第一口腔内情報と第二口腔内情報とのマーキングする部位を一致させるように位置および角度の補正を行う。
【００４４】
トリミング部１２４は、位置補正部１２３で位置補正された第一口腔内情報と第二口腔内情報との内、口腔内情報の比較検討に必要でない部位、つまり位置補正された第一口腔内情報と第二口腔内情報との共通部分以外のトリミングを行う。これにより、口腔内情報の比較検討に不必要な部分が削除されるので、マーキングデータ格納部１２２に格納される情報量を少なくすることができる。
【００４５】
画像データ格納部１２５は、被験者２００の口腔内情報を格納する。または、呼び出しに応じ、格納された被験者２００の口腔内情報を提供する。具体的には、マーキング処理部１２１でマーキング部位が与えられた被験者２００の口腔内情報を格納する。または、トリミング部１２４によってトリミングされた被験者２００の口腔内情報を格納する。
また、位置補正部１２３からの呼び出しによって、指示された被験者２００の口腔内情報を提供する。
【００４６】
図５は、本実施の形態の口腔内情報取得装置による補正手段の処理を示すフローチャートである。以下、図５に示す処理をステップ番号に沿って説明する。
〔ステップＳ１１〕マーキング処理部１２１は、入力された口腔内情報における同じ被験者２００のデータがマーキングデータ格納部１２２に存在するか確認を行う。マーキングデータ格納部１２２は、例えば被験者２００の識別番号毎に格納されており、マーキングデータ格納部１２２に同じ被験者２００の識別番号が存在するか確認することで、同じ被験者２００のデータが存在するか確認することができる。
【００４７】
〔ステップＳ１２〕マーキング処理部１２１は、入力された被験者２００の口腔内情報における同じ被験者２００のデータが存在するか判断する。具体的には、マーキングデータ格納部１２２に同じ被験者２００の識別番号が存在すれば、同じ被験者２００のデータがマーキングデータ格納部１２２に存在するとマーキング処理部１２１が判断する。同じ被験者２００のデータがマーキングデータ格納部１２２に存在しないとマーキング処理部１２１が判断した時は、処理をステップＳ１３へ進め、同じ被験者２００のデータがマーキングデータ格納部１２２に存在するとマーキング処理部１２１が判断した時は、処理をステップＳ１５へ進める。
【００４８】
〔ステップＳ１３〕マーキング処理部１２１は、入力された被験者２００の口腔内情報においてマーキング位置を決定する。具体的には、入力された被験者２００の口腔内情報には複数の歯が存在しており、複数の歯のうち少なくとも１つの位置および形状をマーキング処理部１２１が決定する。
【００４９】
〔ステップＳ１４〕マーキング処理部１２１は、決定されたマーキング位置および形状をマーキングデータ格納部１２２に登録する。具体的には、被験者２００の識別番号とマーキング位置とが関連付けられる形でマーキング処理部１２１がマーキングデータ格納部１２２に登録する。
【００５０】
〔ステップＳ１５〕マーキング処理部１２１は、被験者２００の識別番号をもとにマーキングデータ格納部１２２から登録されているマーキング位置を呼び出す。マーキングデータ格納部１２２には、被験者２００の識別番号と共にステップＳ１４で登録されたマーキング位置が登録されているので、マーキング処理部１２１が登録されたマーキング位置が被験者２００の識別番号から抽出して呼び出す。
【００５１】
〔ステップＳ１６〕マーキング処理部１２１は、第二口腔内情報にマーキング位置を適合させる。具体的には、第二口腔内情報にある被験者２００の歯に、マーキングデータ格納部１２２より呼びだされたマーキング位置に登録されてある被験者２００の歯の位置や形状をマーキング処理部１２１が適合させる。
【００５２】
〔ステップＳ１７〕位置補正部１２３は、第一口腔内情報と第二口腔内情報とのマーキング位置を合わせる。具体的には、画像データ格納部１２５に格納された第一口腔内情報を呼び出し、第一口腔内情報に適合されたマーキング位置を基準に第二口腔内情報に適合されたマーキング位置を合わせて第二口腔内情報の位置および角度を位置補正部１２３が調整する。
【００５３】
〔ステップＳ１８〕トリミング部１２４は、不要部分のトリミングを行う。具体的にはステップＳ１７で位置や角度が調整された第一口腔内情報と第二口腔内情報との共通部分を残し、共通部分以外の部位をトリミング部１２４が削除しトリミングを行う。
〔ステップＳ１９〕マーキング処理部１２１またはトリミング部１２４は、処理が行われた口腔内情報を画像データ格納部１２５に格納し保存される。
【００５４】
〔第２の実施の形態〕
次に、本発明の第２の実施の形態について説明する。本実施の形態の口腔内作用装置は、口腔内作用装置の固定方法が異なる以外は、第１の実施の形態と同様である。このため、上記第１の実施の形態とほぼ同様の構成部分については同一の符号を付すなどして適宜その説明を省略する。
【００５５】
図６は、第２の実施の形態に係る口腔内作用装置を示す図である。
図６に示すように、口腔内作用装置４００は、光源部４２０、情報取得部４３０、本体部４４０、および支持部４５０を備える。
【００５６】
支持部４５０は、複数の屈折部４５１を備え、本体部４４０の位置や角度を自在に設置することができる。
被験者２００は、口唇を押し広げるように開口器５００が設置され、被験者２００の口腔内が開口されている。
【００５７】
具体的な口腔内作用装置４００の実施手順は以下のとおりである。
まず口腔内作用装置４００を被験者２００の開口器５００によって開口された口腔内に向け、情報取得部４３０で被験者２００の口腔内の情報である第一口腔内情報を取得する。次に光源部４２０から発生させる光エネルギーにより被験者２００の口腔内に光エネルギーを照射し施術を行う。次に光エネルギーによる施術が終わった後に、被験者２００の口腔内の情報である第二口腔内情報を情報取得部４３０で取得する。
【００５８】
これにより被験者２００の口腔内に光エネルギーを作用させる施術前後で被験者２００の口腔内の情報が施術と一貫して取得でき、施術の前後で口腔内の情報が正確に比較判定を行うことができる。
【００５９】
また、各装置が備えられた本体部４４０が被験者２００に取り付けられないので、被験者２００の負担が軽くなる。
尚、被験者２００が施術や口腔内情報取得時に動いてしまった場合でも、口腔内作用装置４００に備えられた口腔内情報取得装置１００によって口腔内情報が補正される。
【符号の説明】
【００６０】
１００  口腔内情報取得装置
１１０  入力手段
１２０  補正手段
１２１  マーキング処理部
１２２  マーキングデータ格納部
１２３  位置補正部
１２４  トリミング部
１２５  画像データ格納部
１３０  出力手段
２００  被験者
３００  撮像手段
４００  口腔内作用装置
４１０  口唇開口部
４１１  開口部
４１２  口唇支持部
４２０  光源部
４２１  光エネルギー発生部
４２２  光エネルギー拡散板
４２３  光エネルギー調整部
４３０  情報取得部
４３１  記録時用光発生部
４４０  本体部
４４１  無線部
４４２  記録媒体差込部
４４３  電源部
４４４  熱放射部
４５０  支持部
４５１  屈折部
５００  開口器
【図１】
2018050864.tif 000003
【図２】
2018050864.tif 000004
【図３】
2018050864.tif 000005
【図４】
2018050864.tif 000006
【図５】
2018050864.tif 000007
【図６】
2018050864.tif 000008